(57)【要約】【課題】シーリングマウントにかかる荷重を支えるために天井のさまざまな厚さに合わせて調整可能な改良されたシーリングマウントを提供すること。【解決手段】シーリングマウントは、天井の一方の側と係合するように適応されている基部と、基部を貫通して伸張し、基部にしっかりと連結し、少なくとも１つの窪みを備えている円筒形本体を有するコアと、支持力を提供するために天井の他方の側との係合のために円筒形本体の少なくとも１つの窪みから選択的に伸張し、その中に可動的に受け入れられる少なくとも１本のアームと、円筒形本体に回転自在にねじで取り付けられ、少なくとも１本のアームが少なくとも１つのねじボルトの回転運動に応えて円筒形本体から伸張し、円筒形本体を基準にして移動できるようにするために少なくとも１本のアームに動作可能に連結される少なくとも１つのねじボルトと、少なくとも１本のアームがさらに伸張するのを回避するための止め具とを含む。【選択図】図１
0003137195.tif 000002
【実用新案登録請求の範囲】
【請求項１】
天井に取り付けるためのシーリングマウントであって、
天井の一方の側と係合するように適応される基部と、
基部に連結するために基部を貫通して伸張するコアであって、円筒形本体を有し、基部に加えられる荷重に支持力を与えるために天井の他方の側との係合のためにコアの円筒形本体から選択的に伸張し、円筒形本体に可動的に取り付けられる少なくとも１本のアームと、
を備えるシーリングマウント。
【請求項２】
円筒形本体に回転自在に取り付けられ、少なくとも１つのねじボルトの回転運動に応えて、少なくとも１本のアームが円筒形本体から伸張し、円筒形本体を基準にして移動できるようにするために少なくとも１本のアームに動作可能に連結される少なくとも１つのねじボルトをさらに備える請求項１に記載のシーリングマウント。
【請求項３】
少なくとも１本のアームがさらに伸張するのを回避するために、少なくとも１本のアームの外周部に選択的に当接するために、円筒形本体の上部に形成されている止め具をさらに備える請求項１に記載のシーリングマウント。
【請求項４】
少なくとも１本のアームがさらに伸張するのを回避するために、少なくとも１本のアームの外周部に選択的に当接するために円筒形本体の上部に形成されている止め具をさらに備える請求項２に記載のシーリングマウント。
【請求項５】
円筒形本体が少なくとも１つのねじボルトを受け入れるために、少なくとも１つの窪みがその中に形成される請求項２に記載のシーリングマウント。
【請求項６】
円筒形本体が少なくとも１つのねじボルトを受け入れるために、少なくとも１つの窪みがその中に形成される請求項３に記載のシーリングマウント。
【請求項７】
円筒形本体が少なくとも１つのねじボルトを受け入れるために少なくとも１つの窪みがその中に形成される請求項４に記載のシーリングマウント。
【請求項８】
２本のアーム及び２つのねじボルトが互いに動作可能に連結され、各アームは区分ヘッド及び区分ヘッドから一体的に伸張する弓形伸張部を有し、円筒形本体は円筒形本体の底部から伸張する底部伸張部と、底部伸張部の２つの側面に向かい合って画定される２つの切り欠きと、２つの切り欠きの対応する一方と連通するために底部伸張部の２つの対向する側面にそれぞれ画定される２つの区分流路と、それぞれが第１のねじ穴を介して２つの区分流路の対応する一方と連通するために円筒形本体の外周部内に画定される２つの窪みと、２つの区分流路の対応する一方内にそれぞれ受け入れられ、第１のねじ穴を介して２つの窪みの一方の中に伸張する２つのねじボルトとを有する請求項７に記載のシーリングマウント。
【請求項９】
止め具が、２本のアームの各区分ヘッドが２つの区分切り欠きと窪みの内の対応する一方できっちりと受け入れられることができるように、それぞれが２つの窪みの対応する一方と連通するために画定される２つの区分切り欠きを有する請求項８に記載のシーリングマウント。
【請求項１０】
ねじボルトのそれぞれが、アームの対応する一方を駆動し、円筒形本体を基準にして移動するために第１のねじ穴を貫通して、第２のねじ穴にねじ的に伸張できるように、各アームが、区分ヘッドの下部に形成され、対応する区分切り欠きと窪みの両方にきっちりと受け入れられる円筒形伸張部と、２つの窪みの対応する一方と連通するために区分ヘッドに画定される第２のねじ穴とを有する請求項９に記載のシーリングマウント。
【請求項１１】
２本のアームの各弓形伸張部が、弓形伸張部の外周部が止め具の２つの端部の一方に当接する程度まで円筒形本体から伸張できるように回転するために２つのねじボルトによって２本のアームがそれぞれ駆動され、２つのねじボルトの結果として生じる回転は、支持力を提供するために、基部に向かう２つの弓形伸張部の移動が、天井を締め付けることができるように２つの窪みの内側で移動するために２つの区分ヘッドを駆動する請求項１０に記載のシーリングマウント。
【請求項１２】
天井に取り付けるためのシーリングマウントであって、
天井の一方の側と係合するように適応される基部と、
基部にしっかりと連結するために基部を貫通して伸張するコアであって、その中に画定された少なくとも１つの窪みを備えた円筒形本体を有し、少なくとも１本のアームが、基部に加えられる荷重に支持力を提供するために天井の他方の側との係合のためにコアの円筒形本体の少なくとも１つの窪みから選択的に伸張し、少なくとも１つの窪みに回転自在に受け入れられるコアと、
少なくとも１本のアームが少なくとも１本のねじボルトの回転運動に応えて円筒形本体から伸張し、円筒形本体を基準にして移動できるために、円筒形本体に回転自在に取り付けられ、少なくとも１本のアームに動作可能に連結されている少なくとも１つのねじボルトと、
少なくとも１本のアームがさらに伸張するのを回避するために少なくとも１本のアームの外周部に選択的に当接するために円筒形本体の上部に形成される止め具と、
を備えるシーリングマウント。
【請求項１３】
２本のアーム及び２つのねじボルトが互いに動作可能に連結され、各アームが区分ヘッドと、区分ヘッドから一体的に伸張する弓形伸張部とを有し、円筒形本体が円筒形本体の底部から伸張する底部伸張部と、底部伸張部の２つの側面に、対向して画定される２つの切り欠きと、２つの切り欠きの対応する一方と連通するために底部伸張部の２つの対向する側面にそれぞれ形成される２つの区分通路と、第１のねじ穴、及び２つの区分通路の対応する一方でそれぞれ受け入れられ、第１のねじ穴を介して２つの窪みの一方に伸張する２つのねじボルトを介して２つの区分通路の対応する一方と連通するために円筒形本体の外周部にそれぞれ形成される２つの窪みとを有する請求項１２に記載のシーリングマウント。
【請求項１４】
２本のアームの各区分ヘッドが２つの区分切り欠きと窪みの対応する一方できっちりと受け入れられることができるように、止め具が、それぞれ２つの窪みの対応する一方と連通するように画定される２つの区分切り欠きを有する請求項１３に記載のシーリングマウント。
【請求項１５】
ねじボルトのそれぞれが、アームの対応する一方を駆動し、円筒形本体を基準にして移動するために、第１のねじ穴を通り、第２のねじ穴にねじ的に伸張できるように、各アームが、区分ヘッドの下部に形成され、対応する区分切り欠きと窪みの両方にきっちりと受け入れられる円筒形伸張部と、２つの窪みの対応する一方と連通するために区分ヘッドに画定される第２のねじ穴とを有する請求項１４に記載のシーリングマウント。
【請求項１６】
２本のアームの各弓形伸張部は、弓形伸張部が止め具の２つの端部の一方に当接する程度まで円筒形本体の中から伸張できるように回転するために、２本のアームが２つのねじボルトによってそれぞれ駆動され、２つのねじボルトの結果として生じる回転が、基部に向かう２つの弓形伸張部の移動が支持力を与えるために天井を締め付けることができるように２つの窪みの内部で移動するために２つの区分ヘッドを駆動する請求項１５に記載のシーリングマウント。
【考案の詳細な説明】
【技術分野】
【０００１】
本考案はシーリングマウントに関し、さらに具体的には、中心のロッドから外向きに選択的に伸張し、中心のロッドの基部に取り付けられる荷重を支えるために天井の表面に当接する２つの袖部を有するシーリングマウントに関する。
【背景技術】
【０００２】
建物の改築または装飾中、シーリングライトは建物に対する柔らかなタッチを強調するために選択される最も人気のあるオブジェクトである。その容易な設置及び保守のために、現代の建造物では多くのシーリングライトが使用されている。シーリングライトを取り付ける間、操作者がシーリングライトの角度を容易に調整できるように、固定マウントがシーリングライトの荷重を支えるために必要とされる。シーリングライト以外の天井に取り付けられるさまざまな種類の照明器具も、照明器具の荷重を支えるために固定マウントを必要とする。監視カメラ等の他の応用例も、カメラの重量を支えるために固定マウントを必要とする。
【０００３】
図６を参照すると、固定マウントは基部（５１）と、基部（５１）にしっかりとではあるが、切り離し自在に連結されているケーシング（５２）とから構成されている。基部（５１）が基部（５１）を貫通して画定されるねじ穴とねじボルト（図示せず）を介して天井（図示せず）に取り付けられた後、操作者は、基部（５１）に監視カメラなどのオブジェクトを設置することができ、その結果ケーシング（５２）が任意の種類の損傷からケーシング（５２）内部のオブジェクトを保護するために基部（５１）にしっかりと連結されるように、ケーシング（５２）の形状は円形である。したがって、固定マウントの設置工程には時間がかかり過ぎ、シーリングの厚さがそれぞれ多様であるときには、操作者は、この異なるシーリング厚さに適合させるために別のシーリングマウントを購入しなければならず、依然としてお金の無駄であるという点で不適切であることを留意すべきである。
【０００４】
欠点を克服するために、本考案は前述の問題を軽減するために改良されたシーリングマウントを提供する。
【考案の開示】
【考案が解決しようとする課題】
【０００５】
本考案の主な目的は、シーリングマウントにかかる荷重を支えるために天井のさまざまな厚さに合わせて調整可能な改良されたシーリングマウントを提供することである。
【課題を解決するための手段】
【０００６】
前記目的を達成するために、本考案のシーリングマウントは、中心ロッドから選択的に伸張し、シーリングマウントの基部に取り付けられる荷重を支えるために天井の側面に当接するための２つの袖部を有する。
【考案を実施するための最良の形態】
【０００７】
本考案の他の目的、優位点、及び新規特長は、添付図面に関連して解釈される際、以下の詳細な説明からさらに明らかになる。
【実施例】
【０００８】
図１に関して、本考案によるシーリングマウントは、コア（１）と、基部（３）とを含むことを留意すべきである。基部（３）は、コア（１）が基部（３）を着脱自在に及びねじ的に結合できるように、コア（１）の底部延長部（番号は付いていない）に形成されている外部ねじ切り（１１１）をかみ合わせるために基部（３）の表面を貫通して画定されるねじ穴（３１）を備える。
【０００９】
図２に関して、本考案のコア（１）は、円筒形本体（１１）の下部に形成された底部延長部を有する円筒形本体（１１）と、２本のアーム（１２）と、２本のねじボルト（１３）とから構成されていることを留意すべきである。
【００１０】
円筒形本体（１１）は、底部延長部の２つの対向する側面に形成される２つの切り欠き（１１２）をさらに有し、切り欠き（１１２）とそれぞれ連通するために切り欠き（１１２）のそれぞれの底面に区分流路（１１３）が画定される。２つの窪み（１１４）が、窪み（１１４）を画定する底面で画定される第１のねじ穴（１１０）を介して切り欠き（１１２）の対応する１つと連通するために円筒形本体（１１）の外周部に向かい合って画定されている。止め具（１１５）が円筒形本体（１１）の上端に、及び止め具（１１５）の２つの対向する側面に形成され、区分切り欠き（１１６）が２つの窪み（１１４）の対応する１つの周縁に一致するように画定される。貫通穴は、円筒形本体（１１）と止め具（１１５）を通して画定される。
【００１１】
本実施形態では２本のアーム（１２）の形状はそれぞれ弓形であるが、２本のアーム（１２）の形状は図示されている実施形態だけに限定されてはならない。各アーム（１２）は、円筒形本体（１１）の区分切り欠き（１１６）と窪み（１１４）内にきっちりと嵌合するような寸法を有する区分ヘッド（１２１）と、区分ヘッド（１２１）の外周部と一体的に形成される弓形の伸張部（１２２）とを備える。弓形の伸張部（１２２）は、区分ヘッド（１２１）が止め具（１１５）の区分切り欠き（１１６）内で完全に受け入れられると、その外周部が円筒形本体（１１）の外周部と一致するように構成され、その寸法に作られる。各区分ヘッド（１２１）は、２つの第１のねじ穴（１１０）の対応する一方と連通する第２のねじ穴（１２３）をさらに備える。２つのねじボルト（１３）のそれぞれは円筒形本体（１１）の底部伸張部の第１のねじ穴（１１０）及び区分ヘッド（１２１）の第２のねじ穴（１２３）を貫通してねじ的に伸張できる。さらに、円筒形伸張部（１２４）が区分ヘッド（１２１）の下部に形成され、円筒形伸張部（１２４）が円筒形本体（１１）の窪み（１１４）に完全に受け入れられることができるように区分ヘッド（１２１）の外側輪郭に完全に一致するような寸法を有する。
【００１２】
図３Ａ、図３Ｂ、図４Ａ及び図４Ｂを参照すると、本考案のコア（１）が組み立てられると、各ねじボルト（１３）は、区分流路（１１３）の対応する１つからアーム（１２）の２つの第２のねじ穴（１２３）の一方に、円筒形本体（１１）の２つの第１のねじ穴（１１０）の対応する一方を通してねじ的に伸張される。したがって、ねじボルト（１３）、第１のねじ穴（１１０）と第２のねじ穴（１２３）の間のねじ切り連結のために、ねじボルト（１３）は円筒形本体（１１）に固定される。
【００１３】
図３Ａに示されるように、ねじボルト（１３）の回転前、弓形伸張部（１２２）は、区分ヘッド（１２１）が止め具（１１５）の区分切り欠き（１１６）に受け入れられ、円筒形伸張部（１２４）が窪み１１４に受け入れられた状態で、止め具（１１５）の外部周辺部に接続される。そして、ねじボルト（１３）が回転された後、当初、弓形伸張部（１２２）は対応するねじボルト（１３）との摩擦に起因して同時に回転するために駆動され、図３Ｂに示されるように、円筒形本体（１１）から弓形伸張部を伸張する。しかしながら、弓形伸張部（１２２）の外周部が止め具（１１５）の自由端に当接する程度まで弓形伸張部（１２２）が回転されると、弓形伸張部（１２２）の回転は頂点に達する。
【００１４】
ねじボルト（１３）が回転し続けるにつれ、区分ヘッド（１２１）が窪み（１４）の中にきっちりと受け入れられるため、ねじボルト（１３）が第１の方向で回転するときに、区分ヘッド（１２１）は、窪み（１１４）内で徐々に降下する。代りに、２つの弓形伸張部（１２２）の位置を調整すると、２つの弓形伸張部（１１２）を水平部で維持できる。
【００１５】
図５を参照し、参照のために依然として図１を使用すると、円筒形本体（１１）の底部伸張部の外側ねじ切り（１１１）が基部（３）のねじ穴（３１）とかみ合わされることを留意すべきである。その後、操作者は２つの弓形伸張部（１２２）を伸張するために各ねじボルト（１３）を交互に回転できる。基部（３）は天井（４）の片側に連結されるため、２つの伸張した弓形伸張部（１２２）は天井（４）の他方の側と徐々に係合し、基部（３）に加えられる任意の荷重に支持力を与える。例えば、ライトチューブ等の照明器具または監視カメラは基部（３）に取り取り付けられてよく、２つの伸張した弓形伸張部（１２２）は基部（３）に付けられる荷重に必要とされる支持力を提供できる。さらに、前記説明は２つの弓形伸張部（１２２）に焦点を当てているが、１つの弓形伸張部（１２２）も指定された目的を達成できることが理解されてよい。
【００１６】
しかしながら、たとえ本考案の多数の特性及び優位点が本考案の構造及び機能の詳細とともに前記説明に述べられていても、本開示は一例に過ぎず、添付の請求項が表わす用語の幅広い一般的な意味により示される完全な範囲まで、本考案の原理の範囲内で、特に形状、サイズ、及び配置に関しては詳細に変更が加えられてよいことが理解されるべきである。
【図面の簡単な説明】
【００１７】
【図１】本考案のシーリングマウントの分解斜視図である。
【図２】本考案のシーリングマウントのコアの分解斜視図である。
【図３Ａ】コアのアームが引っ込められていることを示す平面端面図である。
【図３Ｂ】コアのアームが伸張されていることを示す平面端面図である。
【図４Ａ】２本の伸張するアームがねじボルトの回転に応えて徐々に降下することを示す概略側面図である。
【図４Ｂ】２本の伸張するアームがねじボルトの回転に応えて徐々に降下することを示す概略平面図である。
【図５】コアの２本のアームがシーリングマウントの基部に取り付けられる荷重を支えるために天井の側面に当接することを示す部分的に断面の概略側面平面図である。
【図６】従来の固定マウントを示す斜視図である。
【図１】
0003137195.tif 000003
【図２】
0003137195.tif 000004
【図３Ａ】
0003137195.tif 000005
【図３Ｂ】
0003137195.tif 000006
【図４Ａ】
0003137195.tif 000007
【図４Ｂ】
0003137195.tif 000008
【図５】
0003137195.tif 000009
【図６】
0003137195.tif 000010